(57)【特許請求の範囲】
【請求項１】
施錠角度と解錠角度との間で回動可能に設けられるロック部材と、
それぞれ施錠位置と解錠位置との間で移動可能に設けられる主動部材および従動部材を有し、この従動部材が施錠位置に位置するときに前記ロック部材を施錠角度に保持するとともに解錠位置に位置するときに前記ロック部材の回動を許容し、主動部材が施錠位置に移動するときにのみ主動部材で従動部材を施錠位置に押動するストッパ体と、
前記主動部材を直接駆動して移動させるとともに施錠位置および解錠位置において保持する自己保持形のソレノイドと、
前記主動部材と前記従動部材との間に連結され、解錠位置に移動する主動部材に対して従動部材を解錠位置方向に付勢する付勢部材と、
前記ロック部材と前記従動部材との間にこのロック部材の回動に連動して前記従動部材の移動方向に対して交差する方向に移動可能に配置され、施錠位置の前記従動部材に当接して前記ロック部材を施錠角度に保持する連動体と
を具備していることを特徴とする電気錠。
【請求項２】
ロック部材が施錠角度から解錠角度に向かう方向とソレノイドにより主動部材および従動部材が移動する方向とが交差する位置関係にある
ことを特徴とする請求項１記載の電気錠。
【発明の詳細な説明】
【技術分野】
【０００１】
本発明は、自己保持形のソレノイドを用いて施錠、解錠する電気錠に関する。
【背景技術】
【０００２】
従来、例えば、ロッカーでは、ロッカーの扉を本体に閉じたときに、この扉のフックが本体のラッチに係合してこのラッチが施錠位置に回動し、自己保持形のソレノイドにより移動するラッチストッパでラッチを施錠位置に係止する電気錠を用いることが知られている。ラッチが回動する方向とソレノイドによりラッチストッパが移動する方向とは交差する位置関係にある（例えば、特許文献１参照）。
【０００３】
このようなロッカーに用いられる電気錠では、施錠状態または解錠状態が長時間維持される必要があるから、施錠状態と解錠状態との２つの位置で安定し、ソレノイドが駆動されるときのみ通電が必要で、安定状態では通電の必要がない自己保持形のソレノイドが採用されている。
【０００４】
電気錠を施錠または解錠するときは、制御部からソレノイドに対して施錠信号または解錠信号のパルスを送信することにより、ソレノイドの状態を切り換える。
【特許文献１】実公平８−１０１４１号公報（第２−３頁、図１−５）
【発明の開示】
【発明が解決しようとする課題】
【０００５】
ところで、ロッカー内に容積の大きい荷物を押し込んだためにこの荷物が扉側に押し戻されたり、質量のある荷物が扉側に倒れ込んだ場合、ロッカーの扉は施錠状態のまま開放方向に付勢される。このとき、電気錠のラッチには扉のフックを介して解錠方向に回動する力が加わり、ラッチがラッチストッパに交差方向から押し付ける状態となる。
【０００６】
そのため、利用者が荷物を取り出そうとするとき、ロッカーの制御部から電気錠に解錠信号のパルスを送信し、ソレノイドを解錠方向に駆動しようとしても、交差する位置関係にあるラッチとラッチストッパとの間に強い摩擦力が生じ、ソレノイドが正常に動作しないことがある。
【０００７】
このような場合、利用者が扉を閉方向に押し戻すことによりラッチとラッチストッパとの係合が解除されるが、扉を押し戻すタイミングと解錠信号のパルスを送信してソレノイドを解除方向に駆動するタイミングとが合わなければ、ソレノイドは正常に動作せず、電気錠を解錠できない問題がある。
【０００８】
また、ラッチとラッチストッパとの間の摩擦力より大きい駆動力を有するソレノイドを採用すれば良いが、その場合は、ソレノイド自体の大型化や駆動電力の大容量化などの問題がある。
【０００９】
本発明は、このような点に鑑みなされたもので、施錠状態のロック部材に対して解錠方向に無理な力が加わった場合でも確実に解錠できる電気錠を提供することを目的とする。
【課題を解決するための手段】
【００１０】
請求項１記載の電気錠は、施錠角度と解錠角度との間で回動可能に設けられるロック部材と、それぞれ施錠位置と解錠位置との間で移動可能に設けられる主動部材および従動部材を有し、この従動部材が施錠位置に位置するときに前記ロック部材を施錠角度に保持するとともに解錠位置に位置するときに前記ロック部材の回動を許容し、主動部材が施錠位置に移動するときにのみ主動部材で従動部材を施錠位置に押動するストッパ体と、前記主動部材を直接駆動して移動させるとともに施錠位置および解錠位置において保持する自己保持形のソレノイドと、前記主動部材と前記従動部材との間に連結され、解錠位置に移動する主動部材に対して従動部材を解錠位置方向に付勢する付勢部材と、前記ロック部材と前記従動部材との間にこのロック部材の回動に連動して前記従動部材の移動方向に対して交差する方向に移動可能に配置され、施錠位置の前記従動部材に当接して前記ロック部材を施錠角度に保持する連動体とを具備しているものである。
【００１１】
請求項２記載の電気錠は、請求項１記載の電気錠において、ロック部材が施錠角度から解錠角度に向かう方向とソレノイドにより主動部材および従動部材が移動する方向とが交差する位置関係にあるものである。
【発明の効果】
【００１２】
請求項１記載の電気錠によれば、施錠状態のロック部材に対して解錠方向に無理な力が加わった状態であっても、自己保持形のソレノイドにより主動部材を解錠位置に移動させて保持でき、さらに、解錠位置に移動する主動部材との間に連結している付勢手段で従動部材を解錠位置方向に付勢し、ロック部材に対する解錠方向への無理な力が解除されれば、付勢手段の付勢で従動部材を解錠位置に移動させ、ロック部材の解錠角度への回動を許容でき、そのため、施錠状態のロック部材に対して解錠方向に加わる無理な力がソレノイドに伝わりにくく、ソレノイドは常に正常な動作を行うことができ、確実に解錠できる。さらに、ロック部材の回動に連動して従動部材の移動方向に対して交差する方向に移動可能に配置された連動体により、ロック部材の回動を直線状のスライド移動に変換するから施錠位置の従動部材に当接してロック部材を施錠角度に確実に保持できる。また、施錠状態のロック部材に対して解錠方向に無理な力が加わった状態でも、ロック部材と摺動部材との間に設けた連動体が緩衝材となり、無理な力の伝達を抑制できる。
【００１３】
請求項２記載の電気錠によれば、請求項１記載の電気錠の効果に加えて、ロック部材が施錠角度から解錠角度に向かう方向とソレノイドにより主動部材および従動部材が移動する方向とが交差する位置関係にあるために、施錠状態のロック部材に対して解錠方向に無理な力が加わった状態で従動部材が解除位置に移動しない場合があるが、このような場合でも、ソレノイドは常に正常な動作を行うことができ、ロック部材に対する解錠方向への無理な力が解除されたときに従動部材が解除位置に移動して確実に解錠できる。
【発明を実施するための最良の形態】
【００１４】
以下、本発明の一実施の形態を図面を参照して説明する。
【００１５】
図８および図９に、電気錠を適用するロッカー装置を示す。
【００１６】
ロッカー装置11は、１台の集中制御部ユニット12と、この集中制御部ユニット12の側部に並設される複数台の収容室ユニット13とを備えている。
【００１７】
集中制御部ユニット12は、箱形状の本体14を有し、この本体14の上下方向中間域に集中制御部15が配置され、この集中制御部15の上下部に荷物を入れる収容室16が形成されている。
【００１８】
各収容室ユニット13は、集中制御部ユニット12の本体14と同様に箱形状の本体14を有し、この本体14に集中制御部ユニット12の収容室16と同様の収容室16が上下方向に複数段形成されている。
【００１９】
集中制御部15の正面には、表示部および操作部であるタッチパネル部17、硬貨を投入する硬貨投入部18、紙幣を投入する紙幣投入部19、非接触形のカードなどによる荷物預入取出を可能とするカード読取装置であるカードＲ／Ｗ部20、荷物預入時に暗証番号などを印字したレシートを発行するレシート発行部21、釣銭を払いだす釣銭払出口22などが設けられ、また、集中制御部15の内部には、ＣＰＵやメモリを有する制御手段23（図７参照）や、プリンタ、電源ボックスなどが配置されている。
【００２０】
各収容室16は、箱形状の本体14の前面に開口形成され、その前面開口を開閉する扉24が一側である左側部のヒンジ25によって片開き可能に設けられ、ヒンジ25に装着されたばねで閉まる方向に付勢されている。扉24の他側である右側面部には略Ｕ字形のフック26が突設され、本体14における収容室16の他側である右側面部には電気錠としての施錠ユニット27が設置され、扉24のフック26が施錠ユニット27に係合することにより扉24を閉じた状態で施錠可能としている。
【００２１】
各収容室16の施錠ユニット27は、集中制御部15の制御手段23に電気的に接続され、この制御手段23により集中的に制御される。そして、施錠ユニット27と制御手段23とにより電気錠装置28が構成されている。
【００２２】
次に、図１ないし図６に、電気錠装置28における施錠ユニット27の構造を示す。
【００２３】
施錠ユニット27は、本体14の右側面部の前面に設置されるパネル31、このパネル31の後面に固定されるベース32を有している。ベース32は、パネル31の後面に固定される前板部33とこの前板部33の一側から後方へ向けて折曲された側板部34とを有するＬ字形に形成されている。
【００２４】
パネル31およびベース32には、扉24を閉じたときにフック26が挿入される開口部35，36が形成されている。
【００２５】
パネル31の前面には施錠操作手段としての施錠レバー37が配置され、パネル31およびベース32の前板部33には施錠レバー37の軸部37aが挿通するスライド孔38，39が上下方向に沿って形成されている。この施錠レバー37は、軸部37aが挿通するスライド孔38，39に沿って上下方向に移動可能とし、軸部37aがスライド孔38，39の上端または下端に当接することで上下方向の移動が規制され、上部位置にあるときを解錠位置とし、下部位置にあるときを施錠位置としている。
【００２６】
パネル31の前面上部には、ロッカー装置11の管理者が持つ鍵を用いて手動解錠するためのシリンダ錠40が設けられている。
【００２７】
また、ベース32の側板部34には、ロック部材44が、支軸45によって下方に回動した施錠角度と上方に回動した解錠角度との間で上下方向に回動可能に軸支されているとともに、側板部34側との間に張設されたばね46によって上方の解錠角度方向に向けて付勢されている。ロック部材44の上方の解錠角度方向への回動は、後述するスライド板61により規制される。
【００２８】
ロック部材44の前端部側には閉じた扉24のフック26に係脱可能に係合する溝部48が形成されている。図１(a)に示すように、扉24が開かれていて、ロック部材44が上方の解錠角度にあると、溝部48の後側の縁部が開口部35，36内に斜めに突出配置されるとともに、溝部48の前側の縁部が開口部35，36の上方に配置され、解錠状態にある。一方、扉24を閉じ、扉24のフック26を開口部35，36に挿入したとき、フック26が溝部48の後側の縁部に係合して押圧することにより、ロック部材44が下方の施錠角度に回動する。図１(b)または図１(c)に示すように、ロック部材44が下方の施錠角度に回動すると、溝部48の前側の縁部がフック26の前側に位置し、ロック部材44でフック26を施錠する施錠状態となる。したがって、ロック部材44の溝部48の形状は、収容室16の扉24を閉じるときのフック26でロック部材44が下方の施錠方向に回動し、収容室16の扉24を開けるときのフック26でロック部材44が上方の解錠方向に回動するように形成されている。なお、ロック部材44でフック26を施錠する施錠状態にあるとき、ロック部材44を上方の解錠角度に付勢する付勢力よりヒンジ25に組み込まれたばねで扉24を閉じる方向に付勢する付勢力の方が大きく、ロック部材44でフック26を施錠する施錠状態が保持される。
【００２９】
ロック部材44の前端部側近傍の上部には、当接片49が折曲形成されている。
【００３０】
また、図３に示すように、施錠ユニット27は、扉24の開閉を検知する扉開閉検知手段53を備えている。この扉開閉検知手段53はロック部材44と平行に配置された開閉検知レバー54を有し、この開閉検知レバー54が、ロック部材44と干渉しないようにベース32の側板部34に取り付けられた取付板55に前後方向に沿ってスライド可能に支持されているとともに、取付板55との間に張設されたばね56で前方へ向けて付勢されている。
【００３１】
開閉検知レバー54の前端部はロック部材44の前端部とともに開口部35，36に臨んで配置され、開口部35，36から挿入されたフック26により押されて後方にスライドする。開閉検知レバー54が後方にスライドすることによりマイクロスイッチ57の検知片を押す。このマイクロスイッチ57のオン、オフにより扉24の開閉を検知する。
【００３２】
そして、扉開閉検知手段53をロック部材44とは独立に設けたことにより、扉24を開けた状態でロック部材44が施錠角度に回動されるなどの異常状態を検知できる。
【００３３】
また、図１、図３ないし図５に示すように、ベース32の側板部34には、常にロック部材44の上部に載置される状態で上下方向にスライド可能とするスライド板61が取り付けられている。このスライド板61の基板部62には上下方向に長い２つの長孔63が平行に形成され、これら各長孔63がベース32の側板部34に突設された２つのピン64に係合されてＣリングなどで外れ止めされており、スライド板61がベース32の側板部34に対して上下方向にスライド可能に取り付けられている。スライド板61は、下方にスライドした位置を施錠位置とし、上方にスライドした位置を解錠位置としている。
【００３４】
スライド板61の後辺にはロック部材44の当接片49の上面に当接する折曲片65が折曲形成され、スライド板61の前辺下部には起立片66が折曲形成されている。
【００３５】
スライド板61の上辺後部には規制部67が突出形成され、上辺前部には規制部67より下方に位置する解錠許容部68が形成されている。
【００３６】
スライド板61の側部には、このスライド板61の上下方向のスライドを補助するガイド片69が配置されている。
【００３７】
また、図１ないし図４、図６に示すように、ベース32の側板部34には、スライド板61の上方位置に、駆動手段としてのソレノイド72がプランジャ73の移動方向を前後方向に向けて固定されている。このソレノイド72は、駆動パルスの入力により、プランジャ73が後方へ突出移動した施錠位置とプランジャ73が前方へ没入突出した解錠位置のいずれかの状態に変位し、永久磁石の働きにより無通電でいずれかの状態を保持する双安定自己保持形のラッチングソレノイドである。
【００３８】
このソレノイド72に対して、ソレノイド72のプランジャ73の進退に連動して前後方向に移動するストッパ体74が設けられている。このストッパ体74は、プランジャ73に直結された主動部材75とこの主動部材75の動作に従動する従動部材76とを備えている。
【００３９】
主動部材75には、ソレノイド72の下側に配置される平板状の基板部77、およびこの基板部77の後端から上方へ折り曲げられてソレノイド72の後側に配置される固定片78が形成され、この固定片78の中央にはプランジャ73の後端に結合される結合孔79が穿孔されている。基板部77には前後方向に長い２つの長孔80が平行に形成され、これら各長孔80にスライド可能に係合するスライド部材81を通じてビス82をソレノイド72のフレームに止めることにより、主動部材75がソレノイド72に対して前後方向にスライド可能に取り付けられている。さらに、基板部77の一側縁には、従動部材76に当接してその従動部材76を後方へ向けて強制的に押動する押動片83、および従動部材76との間に張設する付勢手段としてのばね84の一端を引っ掛ける鉤片85が形成されている。
【００４０】
従動部材76には、ソレノイド72の側部に配置される基板部86、およびこの基板部86の前端から折り曲げられてソレノイド72の前側に配置される作動片87が形成されている。基板部86には前後方向に長い２つの長孔88が形成され、これら各長孔88にスライド可能に係合するスライド部材89を通じてビス90をソレノイド72のフレームに止めることにより、従動部材76がソレノイド72に対して前後方向にスライド可能に取り付けられている。基板部86の下辺後部には主動部材75の押動片83と当接する突出部91が形成され、この突出部91にはばね84の他端を引っ掛ける孔部92が穿孔されている。
【００４１】
従動部材76の作動片87の下辺には、前方へ折り曲げられるとともに左端がスライド板61の上方域に突出される係止片93が形成されている。この係止片93は、従動部材76が後方へ移動した位置でスライド板61の上辺後部の規制部67の上方域に位置し、規制部67との当接でスライド板61の上方への移動を規制してロック部材44を施錠角度に保持し、一方、従動部材76が前方へ移動した位置でスライド板61の上辺前部の解錠許容部68の上方域に位置し、スライド板61の上方への移動を許容してロック部材44を解錠角度への回動を許容する。
【００４２】
そして、ソレノイド72に制御手段23から施錠信号が送出されたときには、プランジャ73が後方へ突出移動し、主動部材75も一体に後方へ移動するとともに主動部材75の押動片83を介して従動部材76も一体に後方へ移動する。これら主動部材75および従動部材76が後方に移動した位置は、従動部材76の係止片93がスライド板61の規制部67の上方域に位置し、スライド板61の上方への移動を規制してロック部材44を施錠角度に保持する施錠位置となる。一方、ソレノイド72に制御手段23から解錠信号が送出されたときには、プランジャ73が前方へ没入移動し、主動部材75も一体に前方へ移動するが、このとき従動部材76はプランジャ73や主動部材75には直接押動されず、主動部材75と従動部材76とに架け渡されたばね84の付勢力により前方へ移動する。これら主動部材75および従動部材76が前方に移動した位置は、従動部材76の係止片93がスライド板61の解錠許容部68の上方域に位置してスライド板61の上方への移動を許容する解錠位置となる。また、無通電の状態のソレノイド72により、施錠位置または解錠位置に主動部材75および従動部材76を保持する。
【００４３】
作動片87の上部にはやや後方に傾斜した傾斜片94が形成されている。ソレノイド72が施錠状態にあるとき、シリンダ錠40を操作することにより、ベース32の側板部34に上下方向にスライド可能に取り付けられた解錠板95が上昇し、この解錠板95から突設されたピン96（図１(a)参照）で傾斜片94を前方に押し、従動部材76および押動片83を介して主動部材75を前方の解錠位置に一体に移動させるとともにソレノイド72を解錠位置に切り換え、施錠状態を解除する手動解錠の機能を果たす。
【００４４】
主動部材75および従動部材76の位置は、それぞれマイクロスイッチ97，98により検知する。マイクロスイッチ97のオン、オフによりソレノイド72の動作状態を検知し、このマイクロスイッチ98のオン、オフにより従動部材76が施錠位置にあるか解錠位置にあるかを検知する。
【００４５】
したがって、ロック部材44、スライド板61、ストッパ体74の主動部材75および従動部材76などによって、ソレノイド72の駆動によりロック部材44で扉24のフック26を施錠する施錠状態となる施錠手段99が構成されている。
【００４６】
また、図１、図３、図５に示すように、ベース32の前板部33には、施錠レバー37の軸部37aと結合されて上下方向にスライドするレバーブラケット102が配置されている。
【００４７】
レバーブラケット102は、脚部103を有する基部104と、ベース32の側板部34と平行となるように基部104の側片を垂直に折り曲げた係止部105とを備えている。基部104の中央には施錠レバー37の軸部37aが連結される連結孔106と、上下方向に長い複数の長孔107が形成されている。レバーブラケット102は、各長孔107に係合するビス109をベース32の前板部33に止めることにより、上下方向にスライド可能に取り付けられている。
【００４８】
レバーブラケット102は、施錠レバー37と一体に上下方向に移動し、つまり上方の解錠位置と下方の施錠位置との間で移動する。このレバーブラケット102には、施錠レバー37およびレバーブラケット102が常時は解錠位置を保つように上方に付勢するばね110がベース32の前板部33との間に張設されている。
【００４９】
施錠レバー37を施錠位置に下降させたときに、一体に施錠位置する下降するレバーブラケット102の脚部103がマイクロスイッチ111の検知片を押す。このマイクロスイッチ111のオン、オフにより施錠レバー37が解錠位置にあるのか施錠位置に操作されたかを検知する。
【００５０】
基部104の脚部103の付根付近には、スライド板61の起立片66に当接する折曲片112が形成されている。施錠レバー37を施錠位置に下降させたとき、この折曲片112がスライド板61を押し下げてロック部材44を施錠角度の下限位置まで下降させ、フック26とロック部材44の溝部48との係合をより確実なものとする。
【００５１】
係止部105には従動部材76の係止片93が挿入配置される開口部113が形成され、この開口部113の後縁上下部に係止片93が係合可能とするスリット状の係止溝114，115が形成されている。施錠レバー37が上方の解錠位置にある状態で、従動部材76が後方の施錠位置に移動したとき、従動部材76の係止片93が下側の係止溝115に係合し、施錠レバー37が下方の施錠位置にある状態で、従動部材76が後方の施錠位置に移動したときは上側の係止溝114に係合する。これにより、施錠状態では、施錠レバー37は、いずれの位置にあっても操作不能とされる。
【００５２】
したがって、係止片93を有する従動部材76や係止溝114，115を有するレバーブラケット102などによって、施錠レバー37が施錠位置または解錠位置にあって施錠手段99が施錠状態になったとき、施錠レバー37の上下方向の移動を規制する保持手段116が構成されている。また、スライド板61やレバーブラケット102などによって、ロック部材44と従動部材76との間にこのロック部材44の回動に連動して従動部材76の移動方向に対して交差する方向に移動可能に配置され、施錠位置の従動部材76に当接してロック部材44を施錠角度に保持する連動体117が構成されている。
【００５３】
また、図７に、電気錠装置28の制御手段23のブロック図を示す。制御手段23は、各マイクロスイッチ57，97，98，111からの検知信号を入力し、ソレノイド72の駆動を制御する。
【００５４】
制御手段23は、施錠レバー37が施錠位置にあることを条件としてソレノイド72を駆動させて施錠手段99を施錠状態とする通常の使用モードである第１のモードの機能、施錠レバー37の位置によらずソレノイド72を駆動させて施錠手段99を施錠状態とする一斉施錠用の第２のモードの機能を有している。
【００５５】
次に、本実施の形態の作用を説明する。
【００５６】
まず、図８および図９において、ロッカー装置11の使用についての概要を説明する。
【００５７】
荷物預入動作では、利用者が収容室16の扉24を開き、荷物を収容室16に入れ、扉24を閉め、施錠レバー37を施錠位置に引き下げる。これにより、制御手段23は該当する施錠ユニット27に施錠信号を送信し、施錠ユニット27を仮施錠する。
【００５８】
利用者が集中制御部15にて料金支払い、暗証番号取得などの所定の手続きを行う。手続きが正常に完了すると、施錠ユニット27は施錠状態を維持して本施錠となる。一方、手続きが完了しなかった場合は、施錠ユニット27の仮施錠を解除し、扉24を開放できる待機状態に戻る。
【００５９】
また、荷物取出動作では、利用者が集中制御部15にて暗証番号の入力、追加料金支払いなどの所定の手続きを行う。
【００６０】
手続きが正常に完了すると、制御手段23は該当する施錠ユニット27に解錠信号を送信し、施錠ユニット27を解錠する。施錠ユニット27が解錠すると、施錠レバー37が上方の解錠位置に戻る。
【００６１】
利用者は、扉24を開け、収容室16から荷物を取り出し、扉24を閉める。
【００６２】
また、一斉施錠について説明する。
【００６３】
ロッカー装置11の管理者が集中制御部15にて一斉施錠の設定を行う。
【００６４】
制御手段23は、解錠状態（空き状態）の収容室16を検索してそれらの施錠ユニット27に施錠信号を送信し、施錠ユニット27を施錠する。
【００６５】
利用中であって施錠状態の収容室16はそのままとし、荷物が取り出されたあとで施錠ユニット27を施錠する。
【００６６】
次に、施錠ユニット27の動作を説明する。
【００６７】
図１(a)には、施錠ユニット27が解錠状態でかつ扉24が開放されている状態を示す。
【００６８】
ソレノイド72はプランジャ73が前方に移動した解錠状態にあり、ストッパ体74の主動部材75および従動部材76とも前方の解錠位置に位置し、従動部材76の係止片93がスライド板61の解錠許容部68の上方に位置する。ロック部材44はばね46の付勢で上方の解錠角度に回動し、従動部材76の係止片93に解錠許容部68が臨んで上方への移動が許容されているスライド板61が上方の解錠位置に位置する。施錠レバー37およびレバーブラケット102はばね110の付勢で上方の解錠位置に位置する。
【００６９】
また、扉24を閉じると、扉24のフック26がロック部材44の溝部48に係合し、フック26による押圧でロック部材44がばね46の付勢に抗して下方の施錠角度に回動するとともに、ロック部材44に連動してスライド板61も下方の施錠位置に移動する。この状態から扉24を開ければ、フック26が前方へ移動することによってロック部材44が上方の解錠角度に回動するとともに、スライド板61も上方の解錠位置に移動する。
【００７０】
次に、ロッカー装置11の通常の使用モードである第１のモードについて、図１(b)などを参照して説明する。
【００７１】
利用者が荷物を収容室16に入れて扉24を閉じると、扉24のフック26がロック部材44の溝部48に係合し、フック26による押圧でロック部材44がばね46の付勢に抗して下方の施錠角度に回動するとともに、ロック部材44に連動してスライド板61も下方の施錠位置に移動する。扉24のフック26で開閉検知レバー54を後方に押し、マイクロスイッチ57がオンし、扉24が閉止状態にあることを検知する。
【００７２】
さらに、利用者が施錠レバー37を下方の施錠位置に引き下げることにより、施錠レバー37と一体にレバーブラケット102がばね110の付勢に抗して下方の施錠位置に下降し、レバーブラケット102でマイクロスイッチ111をオンし、施錠レバー37が施錠位置に移動したことを検知する。このとき、レバーブラケット102の折曲片112がスライド板61の起立片66に当接してより下方へ押し下げ、このスライド板61を介してロック部材44を施錠位置におけるより下方の下限位置まで下降させ、フック26とロック部材44の溝部48との係合をより確実なものにする。
【００７３】
マイクロスイッチ57で扉24が閉止状態にあることを検知し、かつマイクロスイッチ111で施錠レバー37が施錠位置に移動したことを検知することにより、制御手段23はソレノイド72を駆動し、施錠ユニット27を仮施錠する。すなわち、ソレノイド72を駆動してプランジャ73を後方の施錠位置へ突出移動させると、ストッパ体74の主動部材75および従動部材76が一体に後方の施錠位置に移動し、従動部材76の係止片93が下方の施錠位置に移動しているスライド板61の規制部67の上方に移動し、スライド板61が上方の解錠位置に上昇するのを規制し、フック26に係合するロック部材44を施錠状態のまま仮施錠する。
【００７４】
同時に、従動部材76の係止片93が下方の施錠位置に移動しているレバーブラケット102の上側の係止溝114にも係合し、レバーブラケット102がばね110の付勢で上方の解錠位置に移動するのを規制し、施錠レバー37を施錠位置に保持する。この施錠レバー37を施錠位置に保持することにより、その収容室16が使用中であることが一目で確認できる。
【００７５】
さらに、利用者が集中制御部15にて所定の預入手続きを正常に完了すると、施錠ユニット27は施錠状態を維持して本施錠となる。なお、仮施錠の状態と本施錠の状態とは機構的に同一の状態である。
【００７６】
このように、第１のモードでの施錠時は、施錠レバー37の施錠位置への操作を施錠条件とするため、利用者に対して確実に施錠を確認させることができ、利用者の意図しない施錠を防止でき、さらに、このとき、施錠レバー37を施錠位置に保持する保持手段116を設けたので、施錠レバー37の位置により施錠状態を容易に確認できる。
【００７７】
さらに、第１のモードでの施錠時は、レバーブラケット102の折曲片112がスライド板61の起立片66に当接してより下方へ押し下げ、このスライド板61を介してロック部材44を施錠位置におけるより下方の下限位置まで下降させるため、フック26とロック部材44の溝部48との係合をより確実なものにできる。
【００７８】
さらに、１つのソレノイド72により、ロック部材44の施錠状態の保持と、施錠レバー37の施錠位置への保持との両機能を実現できる。そのため、電気錠装置28を簡易な構成にできる。
【００７９】
また、荷物取出動作時において、利用者による所定の取出手続きが正常に完了すると、制御手段23はソレノイド72を駆動し、施錠ユニット27を解錠する。すなわち、ソレノイド72を駆動してプランジャ73を前方の解錠位置へ没入移動させると、ストッパ体74の主動部材75および従動部材76が前方の解錠位置に移動し、従動部材76の係止片93がスライド板61の解錠許容部68の上方に移動し、スライド板61が上方の解錠位置に上昇するのを許容し、施錠ユニット27を解錠する。
【００８０】
同時に、従動部材76の係止片93がレバーブラケット102の上側の係止溝114から外れ、レバーブラケット102および施錠レバー37がばね110の付勢で上方の解錠位置に移動し、解錠されたことを確認できる。
【００８１】
そのため、施錠ユニット27が解錠された扉24は開くことが可能となり、この扉24を開く方向に移動させれば、フック26が前方へ移動することによってロック部材44が上方の解錠角度に回動するとともにスライド板61も上方の解錠位置に移動し、扉24を開くことができる。
【００８２】
次に、ロッカー装置11の一斉施錠モードである第２のモードについて、図１(c)などを参照して説明する。
【００８３】
ロッカー装置11の運用においては、例えば、特別な警戒態勢の必要により、しばらくの間、荷物の預入を禁止する必要が生じる場合がある。このようなときは、ロッカー装置11の管理者が集中制御部15を操作し、空き収容室16の施錠ユニット27を一斉施錠する操作をする。
【００８４】
このロッカー装置11の一斉施錠モードである第２のモードでは、マイクロスイッチ57の検知により扉24が閉止状態にあることが検知されると、施錠レバー37の位置にかかわりなく、制御手段23は、ソレノイド72を駆動し、施錠ユニット27を施錠する。すなわち、ソレノイド72を駆動してプランジャ73を後方の施錠位置へ突出移動させると、ストッパ体74の主動部材75および従動部材76が一体に後方の施錠位置に移動し、従動部材76の係止片93が下方に施錠位置に移動しているスライド板61の規制部67の上方に移動し、スライド板61が上方の解錠位置に上昇するのを規制し、フック26に係合するロック部材44を施錠状態のまま保持して施錠する。ただし、使用中の収容室16の施錠ユニット27については、既に施錠状態にあるので除外する。
【００８５】
このとき、通常、施錠レバー37は上方の解錠位置にあるから、従動部材76の係止片93がレバーブラケット102の下側の係止溝115に係合し、レバーブラケット102を介して施錠レバー37を解錠位置に保持する。これにより、一斉施錠された施錠ユニット27の施錠レバー37がいたずらに操作されることを防ぐことができる。
【００８６】
また、使用中の収容室16については、利用者の操作による施錠ユニット27の解錠、荷物の取り出し、扉24の閉止後に、上述と同様に施錠ユニット27を施錠する。
【００８７】
このように、第２のモードでの施錠時は、施錠レバー37の操作の有無にかかわらず、自動施錠できる。
【００８８】
さらに、施錠レバー37が解錠位置にあるときも、この施錠レバー37の移動を規制して解錠位置に保持するので、施錠レバー37の不必要な操作を防止でき、故障や誤動作を防止できる。
【００８９】
また、ロッカー装置11の管理者が集中制御部15を操作し、一斉施錠を解除する操作をすると、制御手段23はソレノイド72を駆動し、施錠ユニット27を解錠する。すなわち、ソレノイド72を駆動してプランジャ73を前方の解錠位置へ没入移動させると、ストッパ体74の主動部材75および従動部材76が前方の解錠位置に移動し、従動部材76の係止片93がスライド板61の解錠許容部68の上方に移動し、スライド板61が上方の解錠位置に上昇するのを許容し、施錠ユニット27を解錠する。
【００９０】
同時に、従動部材76の係止片93がレバーブラケット102の下側の係止溝115から外れ、レバーブラケット102および施錠レバー37の移動を許容する。
【００９１】
そのため、施錠ユニット27が解錠された扉24は開くことが可能となり、この扉24を開く方向に移動させれば、フック26が前方へ移動することによってロック部材44が上方の解錠角度に回動するとともにスライド板61も上方の解錠位置に移動し、扉24を開くことができる。
【００９２】
次に、荷物過収容による解錠不具合対策について説明する。
【００９３】
図１(b)において、ロッカー装置11の収容室16に容積の大きい荷物を押し込んだためにこの荷物が扉24側に押し戻された場合や、収容室16に収容した質量のある荷物が扉24側に倒れ、扉24を開方向に押圧した場合では、扉24のフック26がロック部材44を前方に引っ張る方向に力が働く。ロック部材44の溝部48は、収容室16の扉24を開けるときのフック26でロック部材44が上方の解錠方向に回動する形状に形成されていることから、フック26がロック部材44を前方に引っ張ると、ロック部材44は上方の解錠位置へ向けて回動しようとする。それに伴い、スライド板61およびレバーブラケット102も上方に移動しようとし、スライド板61の規制部67やレバーブラケット102の係止溝114の下縁部が従動部材76の係止片93に対して交差する方向から強く接触する状態となり、その接触の摩擦力により解錠時に従動部材76の係止片93がスライド板61やレバーブラケット102から外れないことがある。
【００９４】
ストッパ体74の主動部材75と従動部材76とは互いに独立の部材とされているため、解錠時に、上述のようにフック26でロック部材44が前方に引っ張られる状態であっても、制御手段23でソレノイド72を駆動してプランジャ73を前方の解錠位置に没入移動させると、ストッパ体74の主動部材75はプランジャ73とともに前方の解錠位置へ移動する。このとき、解錠時に従動部材76の係止片93がスライド板61やレバーブラケット102から外れず、従動部材76は解錠位置へ移動しなくても、主動部材75との間に張設されたばね84により前方の解錠方向へ付勢された状態にある。
【００９５】
そのため、例えば、収容室16の扉24を閉まる方向に押し、一瞬でもフック26によりロック部材44が前方に引っ張られる状態が解除されれば、従動部材76はばね84の付勢で即座に前方の解錠位置に移動し、解錠できる。
【００９６】
このように、ロック部材44が施錠角度から解錠角度に向かう方向とソレノイド72により主動部材75および従動部材76が移動する方向とが交差する位置関係にあるために、施錠状態のロック部材44に対して解錠方向に無理な力が加わった状態で従動部材76が解除位置に移動しない場合があるが、このような場合でも、ソレノイド72を駆動して主動部材75を解錠位置に移動させて保持でき、さらに、解錠位置に移動する主動部材75との間に連結しているばね84で従動部材76を解錠位置方向に付勢し、ロック部材44に対する解錠方向への無理な力が解除されれば、ばね84の付勢で従動部材76を解錠位置に移動させ、ロック部材44の解錠角度への回動を許容でき、そのため、施錠状態のロック部材44に対して解錠方向に加わる無理な力がソレノイド72に伝わりにくく、ソレノイド72は常に正常な動作を行うことができ、確実に解錠できる。
【００９７】
なお、ばね84として、図１ないし図３および図５に示すように、引っ張りばねを例示しているが、圧縮ばねを用いてもよい。
【００９８】
また、第１のモードにおいて、レバーブラケット102の折曲片112によりロック部材44を施錠位置の下限位置まで下降させ、フック26とロック部材44の溝部48との係合をより確実なものとするようにしているが、レバーブラケット102に折曲片112を形成しない場合であっても、従動部材76がスライド板61の上昇を規制しているので、施錠状態を十分維持することができる。
【００９９】
また、施錠操作手段は、施錠レバー37に限らず、例えば回転式のつまみでもよい。
【０１００】
また、電気錠装置28は、ロッカー装置11に限らず、例えば、家具や家屋の扉などにも適用できる。
【図面の簡単な説明】
【０１０１】
【図１】本発明の一実施の形態を示す電気錠の側面図を示し、(a)は解錠状態の側面図、(b)は第１のモードによる施錠状態の側面図、(c)は第２のモードによる施錠状態の側面図である。
【図２】同上電気錠の前面方向からの斜視図である。
【図３】同上電気錠の背面方向からの斜視図である。
【図４】同上電気錠の一部を省略した背面方向からの斜視図である。
【図５】同上電気錠のスライド板およびレバーブラケットの分解状態の斜視図である。
【図６】同上電気錠のソレノイドおよびストッパ体の分解状態の斜視図である。
【図７】同上電気錠のブロック図である。
【図８】同上電気錠を適用したロッカー装置の正面図である。
【図９】同上ロッカー装置の収容部ユニットの斜視図である。
【符号の説明】
【０１０２】
27    電気錠としての施錠ユニット
44    ロック部材
72    ソレノイド
74    ストッパ体
75    主動部材
76    従動部材
84    付勢手段としてのばね
117   連動体
【図１】
0004597025.tif 000002
【図２】
0004597025.tif 000003
【図３】
0004597025.tif 000004
【図４】
0004597025.tif 000005
【図５】
0004597025.tif 000006
【図６】
0004597025.tif 000007
【図７】
0004597025.tif 000008
【図８】
0004597025.tif 000009
【図９】
0004597025.tif 000010